(57)【要約】      （修正有）【課題】電磁ブレーキを利用したリールを簡単に分解・組み立てができるベイトリールおよびベイトリールの回転制御機構に用いられる距離調整部品を提供する。【解決手段】、スプール軸３とスプール軸３に連結されたボビン４を有するスプール部２とスプール部２の回転を制御し得る回転制御機構と備えており、スプール部２の回転方向に抗するブレーキ力を発生させる電磁ブレーキ１５と、電磁ブレーキ１５のブレーキ力を調整し得るスプール軸３に取り付けて使用される距離調整部品１０とを備えており、電磁ブレーキ１５は磁性体１７ａ，１７ｂと導電部材１６を備えており、距離調整部品１０はスプール軸に対して非連結であり、ボビン４に対して着脱可能かつ一体回転し得るように固定されたスプール軸固定部材１１と、導電部材１６が磁性体側に連結され、スプール部２の回転に応じてスプール軸３の軸方向に沿って移動可能に設けられた移動部材１２と、を備えている。【選択図】図２
2018148839.tif 000002
【特許請求の範囲】
【請求項１】
スプール軸と該スプール軸に連結されたボビンを有するスプール部と、
該スプール部の回転を制御し得る回転制御機構と、備えており、
該回転制御機構は、
前記スプール部の回転方向に抗するブレーキ力を発生させる電磁ブレーキと、
該電磁ブレーキのブレーキ力を調整し得る前記スプール軸に取り付けて使用される距離調整部品と、を備えており、
前記電磁ブレーキは、
磁性体と、該磁性体に対向するように設けられた導電部材と、を備えており、
前記距離調整部品は、
前記スプール軸に対して非連結であって、前記ボビンに対して着脱可能かつ一体回転し得るように固定されたスプール軸固定部材と、
前記導電部材が前記磁性体側に連結され、前記スプール部の回転に応じて前記スプール軸の軸方向に沿って移動可能に設けられた移動部材と、を備えている
ことを特徴とするベイトリール。
【請求項２】
前記スプール軸固定部材は、
前記ボビンの隔壁側の端部から突出した係止突起を備えており、
前記ボビンの隔壁には、
前記スプール軸固定部材を取り付けたときに、前記係止突起が挿通される係止孔が形成されており、
前記係止突起の先端部には、
該係止突起が前記係止孔に挿通された状態において、前記スプール軸固定部材が前記ボビンから離間しようとする力に抗して前記係止突起が前記係止孔に係合された状態を維持し得る係止爪が設けられている
ことを特徴とする請求項１記載のベイトリール。
【請求項３】
前記移動部材は、
該移動部材と前記スプール軸固定部材との間に設けられたカム機構によって前記移動が案内されており、
前記カム機構は、
基端が前記スプール軸固定部材に固定され先端が前記移動部材のカム溝に挿入されたカム軸または、基端が前記移動部材に固定され先端が前記スプール軸固定部材のカム溝に挿入されたカム軸、を備えている
ことを特徴とする請求項１または２記載のベイトリール。
【請求項４】
前記スプール軸固定部材と前記移動部材が、前記カム機構によって連結されて一体となっている
ことを特徴とする請求項３記載のベイトリール。
【請求項５】
前記移動部材のカム溝が、
周方向に向きを変えるように形成された一対の弧状の溝が、各溝の頂点で連続して交差するように形成されている
ことを特徴とする請求項３または４記載のベイトリール。
【請求項６】
前記回転制御機構は、
前記距離調整部材を前記スプール軸に取り付けた状態において、前記距離調整部材と前記磁性体との間および／または前記距離調整部材と前記ボビンとの間に設けられるリング状の離間部材を備えている
ことを特徴とする請求項１、２、３、４または５記載のベイトリール。
【請求項７】
請求項１〜６のいずれかに記載のベイトリールが有するスプール部のスプール軸に取り付けて使用される距離調整部品であって、
前記スプール軸に対して非連結であって、前記スプール部のボビンに対して着脱可能かつ一体回転し得るように固定されるスプール軸固定部材と、
前記スプール軸に取り付けた状態において、前記スプール部の回転に応じて前記スプール軸の軸方向に沿って移動可能に設けられた移動部材と、を備えている
ことを特徴とするベイトリールの回転制御機構に用いられる距離調整部品。
【請求項８】
前記スプール軸固定部材は、
前記スプール軸に取り付けた状態において、前記ボビン側の端部から突出した係止突起を備えており、
該係止突起の先端部には、
該係止突起の軸方向に交差する方向に向かって突出した係止爪が設けられている
ことを特徴とする請求項７記載のベイトリールの回転制御機構に用いられる距離調整部品。
【請求項９】
前記移動部材は、
該移動部材と前記スプール軸固定部材との間に設けられたカム機構によって前記移動が案内されており、
前記カム機構は、
基端が前記スプール軸固定部材に固定され先端が前記移動部材のカム溝または、基端が前記移動部材に固定され先端が前記スプール軸固定部材のカム溝に挿入されたカム軸、を備えている
ことを特徴とする請求項７または８記載のベイトリールの回転制御機構に用いられる距離調整部品。
【請求項１０】
前記スプール軸固定部材と前記移動部材が、前記カム機構によって連結されて一体となっている
ことを特徴とする請求項９記載のベイトリールの回転制御機構に用いられる距離調整部品。
【請求項１１】
前記移動部材のカム溝が、
周方向に向きを変えるように形成された一対の弧状の溝が、各溝の頂点で連続して交差するように形成されている
ことを特徴とする請求項９または１０記載のベイトリールの回転制御機構に用いられる距離調整部品。
【請求項１２】
前記カム軸が、円筒状に形成されている
ことを特徴とする請求項９、１０または１１記載のベイトリールの回転制御機構に用いられる距離調整部品。
【発明の詳細な説明】
【技術分野】
【０００１】
本発明は、ベイトリールおよびベイトリールの回転制御機構に用いられる距離調整部品に関する。さらに詳しくは、電磁ブレーキを利用してスプールの回転を制御するベイトリールおよびベイトリールの回転制御機構に用いられる距離調整部品に関する。
【背景技術】
【０００２】
釣りに用いられるリールとしては、一般的にスピニングリールと両軸受型のベイトリールが存在する。このうちベイトリールは、糸に加わる力を直接スプールで受けることができるので、スピニングリールに比べて、太い糸を使用することができたり、コントロールがし易いといった利点を有している。このため、重さがあるルアーや仕掛けを利用したりする場合には、ベイトリールを用いるのが好ましい。
【０００３】
しかし、ベイトリールは、上記のごとき利点を有する一方、キャスティング時にスプールに糸が絡まるといった現象（いわゆるバックラッシュ）が発生しやすい。バックラッシュは、スプールの回転速度がキャスティングによって投げ飛ばされたルアー等の速度よりも速くなった場合に発生する現象であり、ルアー等の飛行軌道の頂点を超えた段階やルアー等が着水した段階で発生するといわれている。
【０００４】
一般的に、上記のようなバックラッシュを防ぐ方法としては、キャスティング時に、親指などでスプールを押さえて摩擦制動力を発生させる方法（いわゆるサミング）が取られている。しかし、このサミング操作は、習熟したベテランでなければ適切に行うことができないので、ベイトリールを使い慣れていない釣り人にとっては、扱いが難しいといった問題が生じている。
【０００５】
そこで、従来、ベイトリールを使い慣れていない釣り人が使用してもバックラッシュが発生しにくいベイトリールが開発されている（例えば、特許文献１〜３）。
【０００６】
特許文献１〜３には、スプールの回転速度の増減に応じて、スプールの軸に沿って移動可能な移動部材に制動部材を固定して、付勢部材の付勢力と移動部材の移動する機構を利用し、永久磁石と制動部材の距離を接近離間させることによって、制動力の強弱を回転速度に応じて調整して、適切な制動力に変化させるバックラッシュ制御機構を備えたベイトリールが開示されている。そして、このようなベイトリールを用いれば、スプールの回転速度に応じてスプールの制動力を変化させることができるので、バックラッシュを抑制しつつ、ルアー等の飛距離の低下も防止できる旨が記載されている。
【先行技術文献】
【特許文献】
【０００７】
【特許文献１】特開２００５−２４５３６５号公報
【特許文献２】特開２０１３−１５８２９５号公報
【特許文献３】特開平１０−２６２５２２号公報
【発明の概要】
【発明が解決しようとする課題】
【０００８】
しかるに、特許文献１〜３のベイトリールのバックラッシュ制御機構は、バックラッシュ制御機構が非常に多くの部品点数で構成されており、その組付や取外し作業が非常に複雑であるといった問題が発生している。
したがって、特許文献１〜３のベイトリールを適切に使用ができるのは、これらの制御機構に精通した釣り人に限定されている、というのが実情である。
【０００９】
本発明は上記事情に鑑み、電磁ブレーキを利用したリールを簡単に分解・組み立てができるベイトリールおよびベイトリールの回転制御機構に用いられる距離調整部品を提供することを目的とする。
【課題を解決するための手段】
【００１０】
（ベイトリール）
第１発明のベイトリールは、スプール軸と該スプール軸に連結されたボビンを有するスプール部と、該スプール部の回転を制御し得る回転制御機構と、備えており、該回転制御機構は、前記スプール部の回転方向に抗するブレーキ力を発生させる電磁ブレーキと、該電磁ブレーキのブレーキ力を調整し得る前記スプール軸に取り付けて使用される距離調整部品と、を備えており、前記電磁ブレーキは、磁性体と、該磁性体に対向するように設けられた導電部材と、を備えており、前記距離調整部品は、前記スプール軸に対して非連結であって、前記ボビンに対して着脱可能かつ一体回転し得るように固定されたスプール軸固定部材と、前記導電部材が前記磁性体側に連結され、前記スプール部の回転に応じて前記スプール軸の軸方向に沿って移動可能に設けられた移動部材と、を備えていることを特徴とする。
第２発明のベイトリールは、第１発明において、前記スプール軸固定部材は、前記ボビンの隔壁側の端部から突出した係止突起を備えており、前記ボビンの隔壁には、前記スプール軸固定部材を取り付けたときに、前記係止突起が挿通される係止孔が形成されており、前記係止突起の先端部には、該係止突起が前記係止孔に挿通された状態において、前記スプール軸固定部材が前記ボビンから離間しようとする力に抗して前記係止突起が前記係止孔に係合された状態を維持し得る係止爪が設けられていることを特徴とする。
第３発明のベイトリールは、第１または第２発明において、前記移動部材は、該移動部材と前記スプール軸固定部材との間に設けられたカム機構によって前記移動が案内されており、前記カム機構は、基端が前記スプール軸固定部材に固定され先端が前記移動部材のカム溝に挿入されたカム軸または、基端が前記移動部材に固定され先端が前記スプール軸固定部材のカム溝に挿入されたカム軸、を備えていることを特徴とする。
第４発明のベイトリールは、第３発明において、前記スプール軸固定部材と前記移動部材が、前記カム機構によって連結されて一体となっていることを特徴とする。
第５発明のベイトリールは、第３または第４発明において、前記移動部材のカム溝が、周方向に向きを変えるように形成された一対の弧状の溝が、各溝の頂点で連続して交差するように形成されていることを特徴とする。
第６発明のベイトリールは、第１、第２、第３、第４または第５発明において、前記回転制御機構は、前記距離調整部材を前記スプール軸に取り付けた状態において、前記距離調整部材と前記磁性体との間および／または前記距離調整部材と前記ボビンとの間に設けられるリング状の離間部材を備えていることを特徴とする。
（距離調整部品）
第７発明のベイトリールの回転制御機構に用いられる距離調整部品は、第１発明乃至第６発明のいずれかに記載のベイトリールが有するスプール部のスプール軸に取り付けて使用される距離調整部品であって、前記スプール軸に対して非連結であって、前記スプール部のボビンに対して着脱可能かつ一体回転し得るように固定されるスプール軸固定部材と、前記スプール軸に取り付けた状態において、前記スプール部の回転に応じて前記スプール軸の軸方向に沿って移動可能に設けられた移動部材と、を備えていることを特徴とする。
第８発明のベイトリールの回転制御機構に用いられる距離調整部品は、第７発明において、前記スプール軸固定部材は、前記スプール軸に取り付けた状態において、前記ボビン側の端部から突出した係止突起を備えており、該係止突起の先端部には、該係止突起の軸方向に交差する方向に向かって突出した係止爪が設けられていることを特徴とする。
第９発明のベイトリールの回転制御機構に用いられる距離調整部品は、第７または第８発明において、前記移動部材は、該移動部材と前記スプール軸固定部材との間に設けられたカム機構によって前記移動が案内されており、前記カム機構は、基端が前記スプール軸固定部材に固定され先端が前記移動部材のカム溝に挿入されたカム軸または、基端が前記移動部材に固定され先端が前記スプール軸固定部材のカム溝に挿入されたカム軸、を備えていることを特徴とする。
第１０発明のベイトリールの回転制御機構に用いられる距離調整部品は、第９発明において、前記スプール軸固定部材と前記移動部材が、前記カム機構によって連結されて一体となっていることを特徴とする。
第１１発明のベイトリールの回転制御機構に用いられる距離調整部品は、第９または第１０発明において、前記移動部材のカム溝が、周方向に向きを変えるように形成された一対の弧状の溝が、各溝の頂点で連続して交差するように形成されていることを特徴とする。
第１２発明のベイトリールの回転制御機構に用いられる距離調整部品は、第９、第１０または第１１発明において、前記カム軸が、円筒状に形成されていることを特徴とする。
【発明の効果】
【００１１】
（ベイトリール）
第１発明によれば、スプール軸固定部材がスプール部のボビンに対して着脱可能に取り付けられているので、スプール部からの距離調整部品の取り外しや、スプール部への取り付けを簡単に行うことができるようになる。このため、リールの構造に精通していない利用者であっても自己の技量に応じたスプール部の回転を調整できるようになる。
第２発明によれば、スプール部のボビンに対してスプール軸固定部材を確実に固定することができ、かつスプール部のボビンへの取り付けやスプール部のボビンからの取り外しを容易に行うことができるようになる。
第３発明によれば、カム機構によってスプール軸固定部材と移動部材および導電部材を常時連結させた状態とすることができる。つまり、距離調整部品を一体型の組立体とすることができる。このため、回転制御機構の部品点数を少なくできるので、回転制御機構の取り外しや取り付けがより行い易くなる。
第４発明によれば、スプール軸固定部材と移動部材がカム機構によって連結されて一体となっているので、取り付けや取り外しなど、取扱い性を向上させることができる。
第５発明によれば、カム溝が移動部材の側壁に略対象となるように形成されているので、スプール部の回転方向に関わらず、スプール部の回転を制御することができる。このため、ベイトリールのモデルが右ハンドルモデルか左ハンドルモデルかに関わらず共通して使用することができる。
第６発明によれば、離間部材の数や厚みを調整することにより、スプール部の回転の制御をより適切に行うことができる。このため、利用者の技量や好みに応じた調整がより適切に行えるようになる。
（距離調整部品）
第７発明によれば、スプール軸固定部材がスプール部のボビンに対して着脱可能に取り付けられるので、かかる距離調整部品を用いれば、スプール部からの距離調整部品の取り外しや、スプール部への取り付けを簡単に行うことができるようになる。このため、このため、リールの構造に精通していない利用者であっても自己の技量に応じたスプール部の回転を調整できるようになる。
第８発明によれば、スプール部のボビンに対してスプール軸固定部材を確実に固定することができ、かつスプール部のボビンへの取り付けやスプール部のボビンからの取り外しを容易に行うことができるようになる。
第９発明によれば、カム機構によってスプール軸固定部材と移動部材を常時連結させた状態とすることができる。つまり、距離調整部品を一体型の組立体とすることができる。このため、スプール部からの距離調整部品の取り外しや、スプール部への取り付けをより簡単に行うことができるようになる。
第１０発明によれば、スプール軸固定部材と移動部材がカム機構によって連結されて一体となっているので、取り付けや取り外しなど、取扱い性を向上させることができる。
第１１発明によれば、カム溝が移動部材の側壁に略対象となるように形成されているので、スプール部の回転方向に関わらず、スプール部の回転を制御することができる。このため、ベイトリールが右ハンドルモデルか左ハンドルモデルかに関わらず共通して使用することができる。
第１２発明によれば、カム軸とカム溝との接点を小さくできるので、スプール軸固定部材に対する移動部材の移動をよりスムースに行わせることができる。
【図面の簡単な説明】
【００１２】
【図１】本実施形態のベイトリール１の概略内部構成を示した概略平面図である。
【図２】本実施形態のベイトリール１の要部概略断面図である。
【図３】本実施形態のベイトリール１の回転制御機構の作動状況を説明した概略断面図であり、（Ａ）はスプール部２の回転が停止または小さい状態の概略説明図であり、（Ｂ）はスプール部２の回転が大きくなった状態の概略説明図である。
【図４】本実施形態のベイトリール１の回転制御機構における距離調整部品１０の概略説明図であり、（Ａ）は概略平面図であり、（Ｂ）は概略正面図であり、（Ｃ）は概略背面図であり、（Ｄ）は概略側面図であり、（Ｅ）は（Ｄ）の概略断面図である。
【図５】（Ａ）本実施形態のベイトリール１の回転制御機構における距離調整部品１０の概略平面図であり、（Ｂ）は分解した状態の概略説明図である。
【図６】本実施形態のベイトリール１の回転制御機構における距離調整部品１０および導電部材１６の動きを説明した図である。
【図７】本実施形態のベイトリール１の回転制御機構における距離調整部品１０を取り外した状態の概略説明図であり、（Ａ）概略斜視図であり、（Ｂ）は概略側面図である。
【図８】本実施形態のベイトリール１の回転制御機構における距離調整部品１０および導電部材１６の動きを説明した図である。
【図９】本実施形態のベイトリール１の回転制御機構における距離調整部品１０のスプール軸固定部材１１の概略説明図であり、（Ａ）は概略平面図、（Ｂ）は概略側面図、（Ｃ）は概略正面図であり、（Ｄ）は（Ｂ）の概略断面図である。
【図１０】本実施形態のベイトリール１の回転制御機構における距離調整部品１０の移動部材１２の概略説明図であり、（Ａ）は概略平面図、（Ｂ）は概略側面図、（Ｃ）は概略背面図であり、（Ｄ）は（Ｂ）の概略断面図である。
【図１１】本実施形態のベイトリール１の回転制御機構におけるブレーキ機構の導電部材１６の概略説明図であり、（Ａ）は概略正面図であり、（Ｂ）は（Ａ）の概略断面図である。
【発明を実施するための形態】
【００１３】
つぎに、本発明の実施形態を図面に基づき説明する。
本発明のベイトリールは、電磁ブレーキを利用してスプール部の回転を制御することができる制御機構を備えたリールであって、かかる機構を構成する部品の着脱を容易にすることによって、利用者が容易にスプール部の回転を調整できるようにしたことに特徴を有している。
【００１４】
（ベイトリール１の概略説明）
図１および図２において、符号ｆは、本実施形態のベイトリール１のフレーム示しており、この対向する左右のフレームｆ間に釣糸を巻きかけるためのスプール部２が設けられている。このスプール部２の一端にはハンドルＨが連結されており、ハンドルＨを回転すれば、スプール部２が回転するようになっている。そして、本実施形態のベイトリール１の表面は、内部に水や埃などが侵入しないようにカバーＣで覆われている。
【００１５】
なお、本実施形態のベイトリール１の大きさは、後述する回転制御機構を備えていれば、とくに限定されず、対象とする魚の大きさによって適宜調整すればよい。
【００１６】
以下では、本実施形態のベイトリール１の大きさは、中型魚を対象とする場合を代表として説明する。
【００１７】
図１および図２に示すように、本実施形態のベイトリール１は、対向するフレームｆと、このフレームｆ、ｆ間に取り付けられるスプール部２とを備えている。
図１に示すように、このスプール部２、フレームｆ、ｆ間にスプール軸３の両端が軸受けＢに支持され回転自在に取り付けられている。
このスプール部２のスプール軸３の一の端部には、連結機構を介してスプール軸３の軸方向と略平行となるようにハンドル軸が連結されており、このハンドル軸はその端縁にハンドルＨが連結されている。つまり、ハンドルＨを回転させると、スプール部２が所定の方向に回転するように構成されている。
なお、以下、スプール部２のスプール軸３において、ハンドルＨが連結される一の端部をハンドル側端部といい、反対側の他の端部を制御側端部という。
【００１８】
図１〜３、図７〜８に示すように、本実施形態のベイトリール１は、スプール部２の制御側端部側が支持される軸受けＢを有するフレームｆ（つまりハンドルＨを取り付けた側のフレームｆとは反対側のフレームｆ）とスプール部２との間に、スプール部２の回転を制御するための本発明の特徴となる回転制御機構を備えている。なお、かかる回転制御機構の詳細については後述する。
【００１９】
なお、以下では、図１に示すように、ベイトリール１は、上記のごときハンドルＨが右側に配置された右ハンドルモデルの場合について説明するが、ハンドルＨが右側に配置されたリールの中心線から左右対称な構造を有する左側ハンドルモデルとしても以下に示す右ハンドルモデルの場合と同じ効果を奏するので、以下の説明では左ハンドルモデルの説明については割愛する。
【００２０】
なお、後述する回転制御機構の距離調整部品１０は、ハンドルの配置位置に関わらず、共通して使用することができるという利点を有している。
【００２１】
（スプール部２）
図１、図２および図７に示すように、スプール部２は、対向するフレームｆ、ｆの軸受けＢ、Ｂに両端が支持される棒状のスプール軸３と、このスプール軸３に連結した連結した釣糸を巻きかけるためのボビン４とを備えている。
【００２２】
スプール軸３は、棒状の部材であり、棒状のシャフト３ａと、このシャフト３ａの覆うように連結しかつ後述するボビン４の隔壁４ｂに連結しるように形成された軸挿入部３ｂとを備えている。
なお、棒状のシャフト３ａと軸挿入部３ｂは、一体となるように形成してもよい。
【００２３】
ボビン４は、中空の筒状部材のボビン本体４ａと、このボビン本体４ａの内部に設けられ、内部を略中央で分割するように設けられた隔壁４ｂとを備えている。
この隔壁４ｂは略中心部において上述したようにスプール軸３のシャフト３ｂ表面に設けられた軸挿入部３ｂと連結するように形成されており、スプール軸３を挿入した状態において、両者が同軸となるように固定されている。
【００２４】
なお、ボビン４の隔壁４ｂには、後述する距離調整部品１０のスプール軸固定部材１１の先端部に設けられた係止突起１１ｂ（図９参照）を挿通できる係合孔４ｈが表裏を貫通するように形成されている（図２または図７参照）。
この係合孔４ｈは、後述するスプール軸固定部材１１の本体部１１ａの係止突起１１ｂの挿入部１１ｂｙ（図９参照）が挿通することができる大きさに形成されている。例えば、図７に示すように、係合孔４ｈは、円形状に形成できるが、楕円形状であっても、矩形状であってもよい。
【００２５】
図１に示すように、ベイトリール１の前方（つまり、糸を繰り出す方向、図１では紙面上方）には、糸の巻き付けを均等の行うためのレベルワインダーＬＷが設けられており、ベイトリール１の後方（つまり利用者側、図１では紙面下方）には、スプール部２とハンドルＨとの連結を調整するクラッチ機構に連結されたクラッチレバーＬが設けられている。
【００２６】
クラッチレバーＬは、クラッチがＯＮの状態（つまりハンドルＨの回転駆動力をスプール軸３に伝達できる状態）から下方に向かって押し下げることによってクラッチがＯＦＦの状態（つまりハンドルＨの回転駆動力をスプール軸３に伝達するのを遮断した状態）に切り換えることができるようになっている。なお、クラッチのＯＦＦの状態からクラッチをＯＮの状態へ復帰させるには、ハンドルＨを回転操作することによって行うことができるようになっている。
【００２７】
本実施形態のベイトリール１が、以上のごとき構成を有しているので、ベイトリール１を釣竿に取り付けた状態において、クラッチレバーＬをＯＦＦにしてスプール部２のボビン４に巻かれた釣糸を繰り出してレベルワインダーＬＷに通したのち、釣竿にグリップ側に設けられたガイドから順にトップガイドへ向かって釣糸を通して、トップガイドを通し終わったらクラッチレバーＬをＯＮにする。そして、釣糸の先端にルアーや仕掛け等を連結する。
【００２８】
ルアー等をキャスティングする際は、クラッチレバーＬをＯＦＦにした状態で、スプール部２のボビン４が勝手に回転しないようにボビン４に巻きかけられた釣糸を親指等で押さえた状態でキャスティング姿勢に入り、ルアー等を投げ出すタイミングで釣糸を押さえていた親指等を離せばルアー等を所望の箇所へキャスティングすることができる。
【００２９】
キャスティングされたルアー等およびルアー等に連結された釣糸は、放物線を描きながら目的の場所まで到達する。このとき、キャスティングの初期段階では、スプール部２のボビン４から釣糸がルアー等によって引っ張られるようにして繰り出されるので、スプール部２の回転速度はそれほど速くない。その後、キャスティングされたルアー等の飛行速度に追従するようにスプール部２の回転速度も速くなる。
【００３０】
そして、キャスティングされたルアー等は、放物線の頂点付近を過ぎたあたりから、その飛行速度は低下する。
一方、スプール部２の回転速度は、キャスティングされたルアー等が放物線の頂点付近を過ぎても、慣性の法則にて回り続けようとする。
すると、このままスプール部２が回転しつづければ、スプール部２のボビン４から供給される釣糸の量が、ルアー等によって引っ張られる釣糸の量よりも多くなるので、ボビン４から供給された余分な量の糸が絡みといった現象（いわゆるバックラッシュ）が発生することになる。
しかしながら、本実施形態のベイトリール１では、スプール部２の回転を制御する回転制御機構を備えているので、スプール部２のボビン４供給される釣糸の量と、ルアー等によって引っ張られる釣糸の量がズレ始めるタイミングまたはかかるタイミングよりも早めに回転制御機構が作動することによって、スプール部２が過回転になるのを防止することができるから、キャスティング等の際に発生するバックラッシュの発生を防止することができる（図３または図８参照）。
【００３１】
以下、本実施形態のベイトリール１の回転制御機構を構成する各部について具体的に説明する。
【００３２】
（回転制御機構）
図１〜図３に示すように、本実施形態のベイトリール１の回転制御機構は、電磁ブレーキ１５と、距離調整部品１０とを備えている。
【００３３】
（距離調整部品１０）
まず、距離調整部品１０について説明する。
距離調整部品１０は、断面円形に形成された中空な空間を有する筒状のスプール軸固定部材１１と、断面円形に形成された中空な空間を有する筒状の移動部材１２とを備えている。
スプール軸固定部材１１と移動部材１２は、互いに入れ子状態となるように配設されている。
具体的には、距離調整部品１０は、スプール軸固定部材１１の中空な空間内に移動部材１２がスプール軸固定部材１１とほぼ同軸となるように配設されている（図４（Ｅ参照））。そして、スプール軸固定部材１１と移動部材１２は、スプール軸固定部材１１に対して移動部材１２を抜き差しできるように配設されている。
【００３４】
例えば、図４に示すように、距離調整部品１０は、スプール軸固定部材１１と移動部材１２が、移動部材１２をスプール軸固定部材１１内に配設した状態において、移動部材１２の外面とスプール軸固定部材１１の内面との間に僅かな隙間を有するように形成された移動部材１２とスプール軸固定部材１１を上述したように配設することができる。この場合、スプール軸固定部材１１に対して移動部材１２をスムースに抜き先しできる、つまり移動させることができるようになる。
【００３５】
なお、移動部材１２の外面とスプール軸固定部材１１の内面との間に形成された僅かな隙間とは、外観上、両者間に隙間が空いている状態を意味することに限定されず、両者が略接触するように配設されており、外観上の隙間が確認できない場合であっても、移動部材１２がスプール軸固定部材１１に対して移動できるような状態の場合も、両者間には僅かな隙間が形成されている、に該当する。
【００３６】
（スプール軸固定部材１１）
図９に示すように、スプール軸固定部材１１は、断面円形に形成された中空な空間を有する筒状の本体部１１ａを備えている。
このスプール軸固定部材１１の本体部１１ａの大きさは、中空な空間内に配置する移動部材１２の大きさによって適宜調整すればよく、とくに限定されない。
【００３７】
なお、図９（Ｄ）に示すように、本体部１１ａの先端部近傍に縮径された縮径部を設けてもよい。先端部近傍に縮径部を設ければ、移動部材１２がスプール軸固定部材１１の先端部から抜け落ちるのを防止できるという利点が得られる。
【００３８】
（係止突起１１ｂ）
図１〜３または図８に示すように、スプール軸固定部材１１の本体部１１ａの先端部（図９では紙面左側の端部）には、外方に向かって突出した係止突起１１ｂが設けられている。具体的には、スプール軸固定部材１１をスプール部２に取り付けた状態において、スプール軸固定部材１１のボビン４の隔壁側の端部には、かかる端部から突出した係止突起１１ｂが、ボビン４の隔壁に形成された係止孔４ｈに挿通可能となるように設けられている。
より具体的には、図２に示すように、この係止突起１１ｂは、係合孔４ｈに挿入した状態において、この係合孔４ｈを囲む隔壁４ｂの内端縁に係合するように形成されている。つまり、係止突起１１ｂを係合孔４ｈに挿通した状態において、スプール軸固定部材１１は、ボビン４から離間しようとする力に抗して係止突起１１ｂが係合孔４ｈに挿通された状態を維持できるように形成されている。
【００３９】
例えば、図９に示ように、係止突起１１ｂは、ボビン４の隔壁４ｂに形成された係合孔４ｈに挿通する挿入部１１ｂｙと、この挿入部１１ｂｙと固定部１１の本体部１１ａとを連結する連結部１１ｂｘとを備えている。
図９に示すように、この連結部１１ｂｘは、基端が本体部１１ａの先端部に、本体部１１ａの軸方向に対して略直交するように連結されている。挿入部１１ｂｙは、基端が連結部１１ｂｘの先端部に連結し、本体部１１ａの軸方向と略平行になるように設けられている。
【００４０】
係止突起１１ｂは、スプール軸固定部材１１の本体部１１ａの先端部において、本体部１１ａの周方向に沿って複数設けてもよい。
例えば、図９に示ように、一対の係止突起１１ｂを本体部１１ａの中心軸を挟んで略対向する位置に設けてよい。この場合、係止突起１１ｂが係合孔４ｈに挿通された状態を維持しやすくなる。
なお、係止突起１１ｂは、一対に限定されず、３つでも二対でも５つでも設けてもよいのは言うまでもない。
【００４１】
一対の係止突起１１ｂを、本体部１１ａの中心軸を挟んで対向する位置に設けた場合、以下のように形成してもよい。この場合、係止突起１１ｂが係合孔４ｈに挿通された状態をより維持しやすくなるという利点が得られる。
連結部１１ｂｘ同士の内面間の距離が、かかる連結部１１ｂｙに対応する係合孔４ｈの内端縁間の距離よりも若干短くなるように形成する。そして、係止突起１１ｂの連結部１１ｂｘを係合孔４ｈに挿通する際には、一対の係止突起１１ｂを広げるようにして挿通する。
【００４２】
さらに、図２に示すように、スプール軸固定部材１１の係止突起１１ｂをボビン４の隔壁４ｂに形成された係合孔４ｈに挿通した状態において、係止突起１１ｂの挿入部１１ｂｙの外面が係合孔４ｈの内端面に接するように形成してもよい。この場合、両者を干渉させることができるので、両者の摩擦力によって係止突起１１ｂの係合孔４ｈからの移動を抑制できるようになる。
【００４３】
（係止爪１１ｂｆ）
とくに、係止突起１１ｂには、挿入部１１ｂｙの先端部から突出した係止爪１１ｂｆが設けられているのが好ましい。具体的には、係止爪１１ｂｆは、係止突起１１ｂの挿入部１１ｂｙの軸方向と交差する方向に突出するように形成することができる。
【００４４】
例えば、図９に示すように、係止突起１１ｂの挿入部１１ｂｙがスプール軸固定部材１１の本体部１１ａの軸方向に対して略平行となるように設ければ、係止爪１１ｂｆが、挿入部１１ｂｙの軸方向に対して略直交するように突出して設けることができる。つまり、図９（Ｄ）に示すように、係止突起１１ｂは、縦断面が略鎌状になるように形成することができる。
この場合、図２および図３に示すように、スプール軸固定部材１１の係止突起１１ｂの挿入部１１ｂｙをボビン４の隔壁４ｂに形成された係合孔４ｈに挿通すれば、挿入側とは反対側のボビン４の隔壁４ｂ面において、係合孔４ｈを囲む隔壁４ｂの内端縁に係止爪１１ｂｆが引っかかるように係合させることができる。つまり、係止突起１１ｂをボビン４の隔壁４ｂに固定することができるのである。
すると、スプール軸固定部材１１に対してボビン４から離間しようとする力が加わったとしても、この係止爪１１ｂによって確実にスプール軸固定部材１１の係止突起１１ｂが係止孔４ｈから抜け落ちるのを防止できる。つまり、スプール軸固定部材１１の係止突起１１ｂをボビン４の隔壁４ｂに形成された係合孔４ｈに挿通した状態を確実に維持することができる。したがって、かかる状態において、スプール部２のボビン４が回転すれば、ボビン４と一体回転し得るようにスプール軸固定部材１１をスプール部２のボビン４に固定することができるのである。
【００４５】
（スプール軸固定部材１１をスプール部２のボビン４に固定する他の実施形態）
なお、上記例では、スプール軸固定部材１１をスプール部２のボビン４に固定する方法として、係止突起１１ｂの挿入部１１ｂｙをボビン４の隔壁４ｂに形成された係合孔４ｈに挿通する場合について説明したが、スプール軸固定部材１１をスプール部２のボビン４に固定することができれば、上記構造に限定されない。
【００４６】
例えば、係止突起１１ｂの挿入部１１ｂｙをボルト等に替えた構造を採用してもよい。スプール軸固定部材１１の本体部１１ａを取り付けたときに、本体部１１ａの係止突起１１ｂの連結部１１ｂｘにおいて、ボビン４の隔壁４ｂに形成された係合孔４ｈと対応する位置にネジ穴を形成しておく。すると、ボルト等を隔壁４ｂの係合孔４ｈを通して係止突起１１ｂの連結部１１ｂｘのネジ穴に螺合すれば、スプール軸固定部材１１をスプール部２のボビン４に固定することができる。
【００４７】
また、例えば、係止突起１１ｂの挿入部１１ｂｙが、平板状の部材であり、ボビン４の隔壁４ｂに形成された係合孔４ｈに挿通した際、挿通側に露出した先端部において、ネジ穴を形成しておく。すると、係止突起１１ｂの挿入部１１ｂｙをボビン４の隔壁４ｂに形成された係合孔４ｈに挿通した状態において、ボルト等を挿入部１１ｂｙのネジ穴に螺合すれば、スプール軸固定部材１１をスプール部２のボビン４に固定することができる。
【００４８】
なお、上記のごとき構造を採用した場合、後述するスプール軸固定部材１１とボビン４の隔壁４ｂとの距離の調整においては、スプール軸固定部材１１の係止突起１１ｂの連結部１１ｂｘと隔壁４ｂとの間および／または隔壁４ｂとボルトの頭部との間に後述するワッシャ等の離間部材２０を適宜設ければ、両者間の距離調整をボルトの着脱のみで簡単に行うことができるという利点が得られる。
【００４９】
また、ボルトの代わりにリベットを用いてよい。リベットを採用すれば、ネジ穴にボルト等を螺合しなくてもよいので、作業を簡単に行うことができる。
【００５０】
（カム軸１３）
また、図９に示すように、スプール軸固定部材１１の本体部１１ａの側壁には、内部と外部を連通する連通孔１１ｇが形成されている。
図２〜図５に示すように、この連通孔１１ｇは、棒状のカム軸１３を挿通した状態で、かかるカム軸１３の基端部を固定することができるように形成されている。
例えば、連通孔１１ｇの内壁面にネジ溝が形成されており、カム軸１３の基端部にネジ山を形成すれば、カム軸１３を連通孔１１ｇに螺合して固定することができる。また、連通孔１１ｇの内壁面とカム軸１３の基端部を接着剤で固定してもよいし、一体で形成してもよい。
【００５１】
（移動部材１２）
図１０に示すように、移動部材１２は、断面円形に形成された中空な空間１２ｈを有する筒状の本体部１２ａを備えている。この移動部材１２の中空な空間１２ｈは、スプール部２のスプール軸３を挿通するための貫通孔である。
【００５２】
なお、本体部１２ａの内径は、上述したように移動部材１２をスプール軸３に取り付けた状態において、スプール軸３の軸方向に沿って移動できるように、スプール軸３の外径よりも若干大きくなるように形成されている。
【００５３】
また、移動部材１２の本体部１２ａの大きさは、スプール軸固定部材１１に対してスムースに抜き差しできるように形成されている。そして、移動部材１２の本体部１２ａを入れ子状にスプール軸固定部材１１の本体部１１ａの中空な空間１１ｈ内に配設した状態において、基端部（例えば、図５では紙面左側の端部）がスプール軸固定部材１１の本体部１１ａ基端から突出するように形成されている。かかる基端部には、後述する電磁ブレーキ１５の導電部材１６が固定して設けられるが詳細は後述する。
【００５４】
（カム溝１２ｇ）
図１０に示すように、移動部材１２の本体部１２ａの側壁には、カム溝１２ｇが形成されている。このカム溝１２ｇは、カム軸１３の先端部が挿入される溝である。
【００５５】
このカム溝１２ｇは、移動部材１２の本体部１２ａの周方向に向きを変えるように形成された一対の弧状の溝が、各溝の頂点で連続して交差するように形成されている。つまり、カム溝１２ｇは、移動部材１２の本体部１２ａの中心軸を通る面に対して対象となる一対の弧状の溝を備えている。
なお、カム溝１２ｇは、カム軸１３の先端部を挿入することができれば、その深さはとくに限定されない。例えば、有底の溝に形成してもよいし、移動部材１２の本体部１２ａの側壁の表裏を連通する溝となるように形成してもよい。
また、カム溝１２ｇの形状としては、例えば、図５（Ｂ）、図６(Ａ）または図１０（Ａ）に示すような平面視へ字状に形成することができるが、かかる形状に限定されない。例えば、平面視Ｕ字状や平面視Ｖ字状、コの字形に形成してもよい。
【００５６】
以下では、図１０に示すように、カム溝１２ｇが、へ字状に形成されており、その頂点が移動部材１２の本体部１２ａの基端部側に位置するように形成された場合を代表として説明する。
【００５７】
図４〜６または図８に示すように、移動部材１２の本体部１２ａをスプール軸固定部材１１の本体部１１ａの中空な空間１１ｈ内に配設した状態において、移動部材１２の本体部１２ａに形成されたカム溝１２ｇには、スプール軸固定部材１１の本体部１１ａの連通孔１１ｇに挿通されたカム軸１３の先端部が挿入されている。つまり、かかる状態において、移動部材１２の本体部１２ａとスプール軸固定部材１１の本体部１１ａはカム軸１３によって連結されているのである。
【００５８】
（スプール軸固定部材１１に対する移動部材１２の移動）
移動部材１２とスプール軸固定部材１１が、以上のごとき構成を有しているので、移動部材１２をスプール軸固定部材１１に対して以下のように移動させることができる。
なお、以下では、スプール軸固定部材１１を固定した状態で説明する。
【００５９】
図６または図８に示すように、移動部材１２の本体部１２ａをスプール軸固定部材１１の本体部１１ａの中空な空間１１ｈ内に配設した状態において、へ字状のカム溝１２ｇの頂点にカム軸１３が位置するように移動部材１２の本体部１２ａとスプール軸固定部材１１の本体部１１ａを配設する。つまり、図６（Ａ）または図８（Ａ）に示すように、移動部材１２の本体部１２ａは、スプール軸固定部材１１の本体部１１ａの中空な空間１１ｈ内に入れ子状に配設された状態となる。
【００６０】
なお、図６（Ａ）に示すように、カム溝１２ｇは、カム軸１３の先端部が位置する頂点を基端とした場合、一対の弧状の溝の先端がそれぞれ離れた位置に配設されるように移動部材１２の本体部１２ａの周方向に沿って対称的に形成されている。
【００６１】
かかる状態において、スプール軸固定部材１１の本体部１１ａを固定したまま、移動部材１２の本体部１２ａを時計回りに回転する力を加える。このとき、カム軸１３がカム溝１２ｇに当接し両者が干渉した状態となるので、カム軸１３はカム溝１２ｇに沿って移動する。つまり、移動部材１２の移動はカム機構によって案内されるのである。
【００６２】
移動部材１２がスプール軸３の軸方向に沿って移動するに伴い、カム軸１３はカム溝１２ｇの一の溝（図８（Ａ）または図６（Ａ）の左の図では上側に位置する溝）の基端から先端へ向かって当接しながら移動する。
つまり、移動部材１２の本体部１１ａを回転させれば、カム軸１３とカム溝１２ｇから構成されるカム機構によって、移動部材１２の本体部１２ａが、スプール軸固定部材１１に対してスプール軸３の軸方向に沿って基端部側（図６および図８では紙面左側）へ向かって移動するのである（図６（Ａ）→図６（Ｂ）、図８（Ａ）→図８（Ｂ））。このとき移動部材１２の本体部１２ａは、図６または図８の左右方向の矢印に示す距離を移動する。
【００６３】
そして、かかる状態から、移動部材１２の本体部１１ａを逆回転させれば、カム軸１３をカム溝１２ｇの先端部から基端へ向かって移動させるように、移動部材１２の本体部１２ａが、先端側へ向かって移動する（図６（Ｂ）→図６（Ａ）、図８（Ｂ）→図８（Ａ））。
【００６４】
一方、カム溝１２ｇの頂点（基端）にカム軸１３が位置した状態において、上述した場合とは反対側（つまり半時計回り）に移動部材１２の本体部１１ａを回転させれば、カム軸１３は、上述した場合とは逆の溝（図８（Ａ）または図６（Ａ）の左の図では下側に位置する溝）に沿って当接しながら先端へ向かって移動するのである。
【００６５】
つまり、カム機構は、スプール軸固定部材１１に対して移動部材１２をスプール軸３の軸方向に沿って移動させる機構である。
なお、このカム機構が、特許請求の範囲の「カム機構」に相当する。
【００６６】
カム溝１２ｇが、以上のごとき構成を有しているので、スプール部２の回転方向に関わらず、カム機構によって、移動部材１２の本体部１２ａをスプール軸固定部材１１に対してスプール軸３の軸方向に沿って移動させることができるようになっているのである。言い換えれば、距離調整部品１０が、以上のごときカム溝１２ｇとカム軸１３からなるカム機構を有していれば、ベイトリール１のモデルが右ハンドルモデルか左ハンドルモデルかに関わらず距離調整部品１０を共通する部品として使用することができる。
【００６７】
また、図４または図５に示すように、スプール軸固定部材１１と移動部材１２は、カム機構のカム軸１３の基端部をスプール軸固定部材１１に固定すれば、両者をカム機構によって連結することができる。
しかも、カム機構のカム軸１３の先端が移動部材１２の側壁外面よりも内方に位置するように配設されているので、移動部材１２がスプール軸３の軸方向に沿って移動しても移動部材１２が所定の位置で止まりスプール軸固定部材１１から離脱しない。
【００６８】
つまり、距離調整部品１０のスプール軸固定部材１１と移動部材１２は、カム機構によって、移動部材１２がスプール軸固定部材１１に対して移動しつつ離脱しないように一体となっているのである。
【００６９】
そして、図２に示すように、このように一体化した状態において、スプール部２に取り付ければ、移動部材１２はスプール軸３に対して非連結となるように取付ることができる。
しかも、図３または図８に示すように、このように一体化した状態において、スプール部２に取り付ければ、移動部材１２を上述したようにスプール軸固定部材１１に対してスプール軸３の軸方向に沿って移動させることができるのである。
【００７０】
なお、上記例では、カム機構が、基端がスプール軸固定部材１１に固定され、先端が移動部材１２に形成されたカム溝１２ｇに挿入されたカム軸１３を備えた構成の場合について説明したが、スプール軸固定部材１１に形成されたカム溝にカム軸１３を挿入する構成を採用してもよい。かかる構成を採用した場合であっても、上述した構成と同様の作用および効果を奏する。
例えば、移動部材１２の本体部１２ａの側壁に内部と外部を連通する連通孔（上述した連通孔１１ｇに相当する）を形成する。この連通孔にカム軸１３の基端部を固定する。一方、スプール軸固定部材１１の本体部１１ａの側壁にカム溝（上述したカム溝１２ｇに相当する）を形成する。そして、このカム溝にカム軸１３の先端部を挿入する。以上のごとき構成を採用した場合にも、上述した場合と同様にカム軸とカム溝からなるカム機構によって、スプール軸固定部材１１に対して移動部材１２をスプール軸１３に沿って移動させることができる。
【００７１】
（スプール軸固定部材１１と移動部材１２の一体化の利点）
上述したようにカム機構によってスプール軸固定部材１１と移動部材１２を一体化した構成を採用することによって、後述する、組み立て工程や取り外し工程において、スプール軸固定部材１１と移動部材１２を一体化した状態で取り扱えようになるので、取扱い性を向上させることができる。
そして、カム軸に相当するような小さな部材を小さな孔等に挿入するような煩雑で難しい組み立て作業や適切な組み立て順などを不要とするとともに、部品点数を削減し、組み立て後には、距離調整部品１０として適切に機能させるという利点も得られる。つまり、上記のごとき構成を採ることによって、本発明のベイトリールの組み立てや分解等を非常に簡単に行うことができるようになる。
【００７２】
しかも、従来技術では、ベイトリールからスプール軸固定部材１１や移動部材１２に相当する部材を取り外したりする際には、特殊な工具を用いたり、狭いスペースで取り付けや取り外しを行うので、リール構造を十分に理解した者でなければ、これらの作業を適切に行うことができなかった。
しかし、本発明のベイトリールでは、上述したような構成（スプール軸固定部材１１と移動部材１２を一体化した構成）を採用することによって、このような問題点を解消することができるようになり、リール構造を十分に把握していなくても適切に組み立てや取り外し等の作業を行うことができるようになるという利点も得られる。
【００７３】
（移動部材１２の移動量の調整方法）
なお、移動部材１２の移動状態は、カム溝１２ｇの傾斜角を調整することによって調整することが可能である。
例えば、カム溝１２ｇが、頂点を通り対称面と一の溝のなす角（傾斜角）を鋭角になるように形成すれば、移動部材１２とスプール軸固定部材１１の回転差（言い換えれば、ボビン４の回転速度）に対する移動部材１２の移動を大きくできる。その逆に傾斜角を鈍角にすれば移動部材１２とスプール軸固定部材１１の回転差に対する移動部材１２の移動を小さくできる。つまり、カム溝１２ｇの形状を調整すれば、ボビン４の回転速度に対する移動部材１２の移動量を調整することができる。
【００７４】
また、ボビン４の回転速度に対する移動部材１２の移動量を調整する方法は、上記のごときカム溝１２ｇの形状を変更する方法に限定されない。例えば、図８（Ａ）に示すような付勢部材１８を設けてもよい。
【００７５】
（付勢部材１８）
図８（Ａ）に示すように、付勢部材１８を設ければ、ボビン４の回転速度に対する移動部材１２の移動量の調整が行い易くなる。
図８（Ａ）に示すように、付勢部材１８は、距離調整部品１０とスプール軸３の制御側端部との間に設けられており、距離調整部品１０をスプール軸３のハンドル側端部に向かって付勢する部材である。そして、この付勢部材１８は、制御側端部側に取り付けられたリング状の抜止部材ｒ１によって付勢状態が維持されている。
この付勢部材１８は、上記のごとき機能を有する部材であれば、とくに限定されない。例えば、公知のバネや、ゴムなどの弾性部材などを採用することができる。
バネを付勢部材１８として採用した場合には、その材質や太さを調整によって付勢力を調整することができるので、移動部材１２のスプール軸固定部材１１に対する移動を簡単に調整することができる。
【００７６】
付勢部材１８を設けた場合、移動部材１２のスプール軸固定部材１１に対する移動は、付勢部材１８の発生する付勢力と、移動部材１２とスプール軸固定部材１１の回転速度の差と、によって調整される。
具体的には、スプール部２のボビン４が回転して、その回転速度が速くなると、付勢部材１８の発生する付勢力に打ち勝って、移動部材１２は、スプール軸３の軸方向へ移動するようになる。つまり、カム軸１３がカム溝１２ｇに案内されて移動部材１２は、スプール軸３の軸方向へ移動するようになる。
【００７７】
距離調整部品１０の移動部材１２のスプール軸固定部材１１に対する移動をまとめると以下のようになる。なお、以下では付勢部材１８を設けた場合について説明する。
【００７８】
スプール部２の回転が止まっている若しくは回転数が低い場合、付勢部材１８の付勢力によって移動部材１２の本体部１２ａは、スプール軸３の軸方向へ移動しないので、スプール軸固定部材１１の本体部１１ａと一体回転する（図３（Ａ）参照）。
【００７９】
一方、スプール部２の回転が速くなると、移動部材１２の本体部１２ａの回転とスプール軸固定部材１１の本体部１１ａの回転との回転差が大きくなるので付勢部材１８の付勢力に抗して移動部材１２の本体部１２ａは、スプール軸３の軸方向へ沿って制御側端部側へ移動する（図３（Ｂ）、図６または図８参照）。
【００８０】
本実施形態のベイトリール１が、以上のごとき距離調整部品１０および付勢部材１８を有する場合、これらの部品等は以下のように取り付けられる。
【００８１】
（スプール部２への距離調整部品１０取り付けおよび取外し）
図７に示すように、スプール部２のスプール軸３の制御側端部から、距離調整部品１０、付勢部材１８、リング状の抜止部材ｒ１の順に取り付けて、最後に係止部材ｒ２を取り付けて全体が外れないようにする。
【００８２】
具体的には、まず、距離調整部品１０のスプール軸固定部材１１の係止突起１１ｂをボビン４の隔壁４ｂに形成された係合孔４ｈに挿通する。挿通した係止突起１１ｂは、先端部に設けられた係止爪１１ｂｆによって係合孔４ｈに固定される。つまり、距離調整部品１０のスプール軸固定部材１１の係止突起１１ｂをボビン４の隔壁４ｂの係合孔４ｈに挿通するだけで、距離調整部品１０をボビン４に固定することができる。
ついで、このボビン４に固定した距離調整部品１０に対してスプール軸３の制御側端部側から付勢部材１８、抜止部材ｒ１の順に取り付ける。
そして、最後に係止部材ｒ２を取り付ければ組み立てが完成する。
【００８３】
一方、分解する場合には、まず、係止部材ｒ２を取り外す。ついで、スプール軸３から抜止部材ｒ１、付勢部材１８の順に取り外す。そして、最後にボビン４に固定した距離調整部品１０のスプール軸固定部材１１の係止突起１１ｂの係止爪１１ｂｆをボビン４の隔壁４ｂから外す。
【００８４】
このとき、係止突起１１ｂの係止爪１１ｂｆは、ボビン４の隔壁４ｂの隔壁４ｂの係合孔４ｈに挿通した反対側の面に対して引っかかるように係合しているだけなので、かかる状態の係止爪１１ｂｆを引き起こせば、簡単に固定状態を解除することができる。
【００８５】
しかも、かかる操作は、十分なスペースが存在するボビン４のスプール軸３のハンドル側端部側からアクセスしながら行うことができるので、取り外の作業性を向上させることができる。さらに、係止爪１１ｂｆを外すだけの操作であるので、特別な工具等を用いなくても簡単に取り外すことができる。
【００８６】
さらに、図７に示すように、距離調整部品１０がスプール軸固定部材１１と移動部材１２が一体型の組立体となっているので、部品点数を従来の部品と比べて少なくできるという利点も得られる。
【００８７】
よって、リールの構造に精通していない利用者であっても、スプール部２からの距離調整部品の取り外しや、スプール部２への取り付け（組み立て）が簡単に行うことができるようになる。
【００８８】
なお、図２に示すように、係止部材ｒ２は、スプール軸３に着脱可能かつ固定できるように形成された部材である。
【００８９】
例えば、図７に示すように、係止部材ｒ２は、一部に開口を有するリング状に形成することができる。一方、スプール軸３において、係止部材ｒ２を取り付ける位置に、スプール軸３の周方向に沿って係止凹部が形成されている。この場合、スプール軸３の軸方向に対して略直交する方向から係止凹部へ向かって止部材ｒ２を嵌め込めば、簡単に係止凹部を取り付けることがき、しかも係止凹部に嵌合して固定させることができる。なお、係止部材ｒ２は、上記機能を有する構造であれば上記形状に限定されず、例えば、クリップ状に形成してもよい。
【００９０】
図４または図１０に示すように、移動部材１２の本体部１２ａの基端部（図４では紙面左側端部）には、外方に向かって突出したフランジ１２ｆが設けられている。
このフランジ１２ｆは、後述するブレーキ機構１５の導電部材１６を移動部材１２の本体部１２ａに取り付ける際の位置決めとしき機能するものである。
【００９１】
なお、後述するブレーキ機構１５の導電部材１６は、移動部材１２の本体部１２ａの基端部に取り付けた状態において、移動部材１２の本体部１２ａと一体回転するように設けられている。例えば、図４に示すように、移動部材１２の基端部の外径が、後述するブレーキ機構１５の導電部材１６に形成された内円１６ｈの内径よりも若干小さくなるように形成すれば、導電部材１６を移動部材１２の本体部１２ａの基端部に対して嵌合するように固定できる。
以下、電磁ブレーキ１５について説明する。
【００９２】
（電磁ブレーキ１５）
電磁ブレーキ１５は、スプール部２のボビン４の回転方向に抗するブレーキ力を発生させる機能を有するものである。
図１〜図３に示すように、電磁ブレーキ１５は、フレームｆ内面に設けられた磁性体１７と、この磁性体１７に対向するように設けられた導電部材１６とを備えている。
【００９３】
（磁性体１７）
電磁ブレーキ１５の磁性体１７は、後述する導電部材１６に対して磁気を発生させる機能を有する部材である。
図１〜図３に示すように、磁性体１７は、対向するフレームｆ、ｆのうち、スプール部２のスプール軸３の他端（図１および図３では紙面左右方向における左側に位置するスプール軸３の端部）が支持された軸受けＢ近傍のフレームｆ内面に設けられている。
この磁性体１７は、上記機能を有する部材であれば、とくに限定されない。例えば永久磁石などの公知の部材を磁性体１７として採用することができる。
また、磁性体１７の配置方法や配置数もとくに限定されない。例えば、偶数の場合、スプール軸３の周方向にスプール軸３を挟んでそれぞれ対向するように配置してもよいし、奇数の場合には、隣接する磁性体１７同士の距離が等間隔となるように配置してもよい。
【００９４】
（導電部材１６）
電磁ブレーキ１５の導電部材１６は、磁性体１７に接近させた際、磁性体１７の作用によってその表面に渦電流が発生す導電性の部材である。
【００９５】
例えば、導電部材１６の素材として、アルミニウムや、アルミニウム合金などの非磁性の導電体などを採用することができる。
【００９６】
導電部材１６は、磁性体１７に対して対向する面を有する部材であれば、その形状はとくに限定されない。例えば、図１１に示すように、円盤状に形成すれば、外端縁近傍の面を磁性体１７に対して対向した面とすることができるが、かかる形状に限定されない。
【００９７】
例えば、導電部材１６は、円筒状に形成してもよい。一方、かかる構造の導電部材１６を採用する場合には、磁性体１７は、断面がコの字状に形成されたものを採用するのが好ましい。この磁性体１７の凹み部は、円筒状に形成された導電部材１６の先端部を収容可能となるように形成されている。
この場合、スプール部２の回転が速くなると、移動部材１６は、スプール軸３の軸方向へ沿って磁性体１７へ向かって移動して、円筒状の先端部が磁性体１７の凹み部内に侵入する。このとき、磁性体１７からの導電部材１６に対する磁力は、先端部の侵入量に応じて変化する。このため、後述する導電部材１６の回転方向に抗するブレーキ力（制動力）をより適切に調整できるという利点が得られる。
【００９８】
また、導電部材１６は、上述したように距離調整部品１０の移動部材１２の本体部１２ａの基端部に固定できるように形成されている。
例えば、図１１に示すように、導電部材１６が円盤状の部材であり、中央に位置する内円１６ｈの内径が、上述した移動部材１２の本体部１２ａの基端部の外径よりも若干小さくなるように形成される。この場合、導電部材１６を移動部材１２の本体部１２ａの基端部に嵌め込めば、連結固定するように取り付けることができる。
【００９９】
導電部材１６が固定した移動部材１２の本体部１２は、上述したようにスプール部２の回転に応じて、スプール軸３の軸方向に沿って移動するように構成されている。
このため、導電部材１６は、スプール軸３の軸方向に沿って移動部材１２の本体部１２ａの移動と一体移動する。しかも、移動部材１２の本体部１２は、スプール部２の回転に伴い回転するので、導電部材１６は、回転しつつスプール軸３の軸方向に沿って移動する。
【０１００】
つまり、図３に示すように、スプール部２の回転に応じて、電磁ブレーキ１５の導電部材１６が、電磁ブレーキ１５の磁性体１７に対して回転しながらスプール軸３の軸方向に沿って接近離間するように移動するのである。図３では、導電部材１６と磁性体１７の距離がＷ１からＷ２の間で近くなったり遠くなったりする。
【０１０１】
電磁ブレーキ１５が、以上のごとき構成を有しているので、図３に示すように、導電部材１６が磁性体１７に対して回転しつつ接近すれば、導電部材１６の表面（図２では磁性体１７ａに対向する面）では、磁性体１７の作用によって磁性体１７に対向する箇所に渦電流が発生する。
例えば、磁性体１７の導電部材１６に対向する部分がＮ極の場合、導電部材１６の磁性体１７に対向する面にはＮ極とＳ極が交互に発生する。つまり、磁性体１７が近づいた箇所はＮ極となり、磁性体１７から遠ざかる箇所では渦電流が反転しＳ極となる。このため、導電部材１６と磁性体１７との間には、両者を引き付け合う力が発生する。言い換えれば、導電部材１６の回転方向に抗するブレーキ力（制動力）が発生するのである。
【０１０２】
図１〜３に示すように、電磁ブレーキ１５の導電部材１６は、距離調整部品１０の移動部材１２に連結されており、この移動部材１２はカム機構を介して距離調整部品１０のスプール軸固定部材１１に連結されている。そして、この距離調整部品１０のスプール軸固定部材１１は、スプール部２のボビン４の隔壁４ｂに固定されている。
このため、電磁ブレーキ１５の導電部材１６が磁性体１７に対して回転しながら接近（つまり、図３では導電部材１６と磁性体１７の間の距離がＷ２からＷ１になる）すると、スプール部２には、回転方向に抗する制動力が発生する。
【０１０３】
したがって、ルアー等をキャスティングする際には、回転制御機構は以下のように作用する。
なお、スプール部２の回転は、図１に示すようにスプール部２のボビン４に巻かれた釣糸を繰り出す方向に回転する場合について説明する（図１または図３では、スプール軸３のハンドル側端部から制御側端部方向に見たときに、時計回りにスプール部２が回転する場合）。
【０１０４】
まず、キャスティングの初期段階では、スプール部２のボビン４から釣糸がルアー等によって引っ張られるようにして繰り出されて、スプール部２が回転する。このスプール部２のボビン４には、距離調整部品１０のスプール軸固定部材１１が固定されている。
この初期段階では、スプール部２の回転速度はそれほど速くないので、スプール部２の回転により生じる回転力が、カム機構の干渉力および付勢部材１８の付勢力との合力と同じか小さい状態となる。
この場合には、スプール部２の回転に伴いスプール部２のボビン４に固定された距離調整部品１０のスプール軸固定部材１１もスプール部２と一体回転する。
【０１０５】
そして、キャスティングされたルアー等は、放物線の頂点付近を過ぎたあたりから、その飛行速度は低下する一方、スプール部２の回転速度は、キャスティングの初期段階から徐々に速くなる。
そして、この回転速度の上昇によって生じる回転力が、カム機構の干渉力および付勢部材１８の付勢力との合力よりも大きくなる。すると、距離調整部品１０の移動部材１２の本体部１２ａが、スプール軸３の軸方向へ沿って移動する。
このとき、距離調整部品１０の移動部材１２の本体部１２ａの回転と、距離調整部品１０のスプール軸固定部材１１の本体部１１ａの回転（言い換えれば、スプール部２の回転）との間に回転差が生じた状態となる。
【０１０６】
すると、この移動部材１２の回転とスプール部２の回転との回転差によって、移動部材１２が磁性体１７に接近するようにスプール軸３の軸方向に沿って移動する。移動部材１２の本体部１２ａの基端部には導電部材１６が固定されている。そして、この導電部材１６が磁性体１７に接近する。導電部材１６が磁性体１７の磁界に侵入すると導電部材１６には、その接近量（移動量）と回転速度に応じた電磁力を磁界から受ける。つまり、導電部材１６の回転に抗する制動力が作用する。
【０１０７】
導電部材１６はカム機構によってスプール軸固定部材１１に連結しており、このスプール軸固定部材１１はスプール部２と一体回転しているので、導電部材１６に加わった制動力は、スプール部２にも作用する。つまり、スプール部２にはその回転速度に応じた磁気制動力が作用し、その結果、スプール部２の過回転が防止され、バックラッシュが防止される。
【０１０８】
一方、ルアー等が着する手前のキャスティングの後期段階では、上述した回転制御機構によってスプール部２の回転速度が減少する。スプール部２の回転速度の減少により、カム軸１３の先端部がカム溝１２ｇを押し付ける力が小さくなり、当接箇所における移動部材１２の本体部１２ａの軸方向への分力が小さくなる。この分力が、カム機構の干渉力および付勢部材１８の付勢力との合力と同じか小さくなると、移動部材１２の本体部１２ａは、磁性体１７から離間するようにスプール軸３のハンドル側端部に向かってその軸方向に沿って移動する。
すると、導電部材１６は、磁性体１７の磁界から受ける電磁力が小さくなるので、スプール部２に作用する制動力も解消される。したがって、飛距離を不必要に低下させることなく、スプール部２に適度な制動力を付与しつつ、バックラッシュを効果的に防止することができる。
【０１０９】
（離間部材２０）
なお、電磁ブレーキ１５の制動力の調整は、上述した磁性体１７の材質や配置方法等に限定されない。
例えば、スプール軸３に距離調整部品１０を取り付けたときの、距離調整部品１０の移動部材１２に固定された導電部材１６と磁性体１７の距離（Ｗ）によっても調整することができる。
【０１１０】
例えば、図７または図８に示すように、距離調整部品１０と係止部材ｒ２の間および／または距離調整部品１０とスプール部２との間に、離間部材２０を設ければ、導電部材１６と磁性体１７の距離を簡単に調整することができる。
この離間部材２０は、上記のごとくスプール軸３に取り付けることができる板状の部材であれば、とくに限定されない。例えば、座金（ワッシャ）などの公知のものを採用することができる。
【０１１１】
とくにワッシャを離間部材２０として採用すれば、様々な厚み等が市販されている。そして、かかる離間部材２０の数や厚みを調整することによって、導電部材１６と磁性体１７の距離をより適切に調整することができるので、電磁ブレーキ１５の制動力の調整が簡単に行うことができるようになる。
このため、利用者の技量や好みに応じた調整がより適切に行えるようになる。しかも、特殊部品でもないので、調整の自由度をより向上させることができる。すると、利用者は、離間部材２０を調整することによって、自己のキャスティングの特性や釣糸の繰り出す際のテンションなど、好み応じたスプール部２の回転となるように調整することができる。
【０１１２】
例えば、ワッシャを離間部材２０（以下、単にワッシャ２０という）として採用する場合の取り付け方法について、以下説明する。
【０１１３】
まず、スプール部２が高速で回転する際に、その回転をとくに制御したい場合には、以下のようにワッシャ２０を配設するのが好ましい。
【０１１４】
図７に示すように、距離調整部品１０と係止部材ｒ２の間にワッシャ２０を設ける（図７では、紙面左側に位置するワッシャ２０）。
この場合、導電部材１６と磁性体１７の距離が遠くなることから、高回転時における電磁ブレーキ１５の制動力を小さくできる。
なお、かかるワッシャ２０の厚みを厚くしたり、枚数を増加させれば、両者間の距離をより遠くできるので、さらに制動力を小さくできる。
【０１１５】
つぎに、スプール部２が低速で回転する際に、その回転をとくに制御したい場合には、以下のようにワッシャ２０を配設するのが好ましい。
【０１１６】
図７に示すように、距離調整部品１０とスプール部２との間にワッシャ２０を設ける（図７では、紙面右側に位置するワッシャ２０）。
この場合、導電部材１６と磁性体１７の距離が近くなることから、スプール部２が低速で回転する際の電磁ブレーキ１５による制動力を強くできる。
なお、かかるワッシャ２０の厚みを厚くしたり、枚数を増加させれば、両者間の距離をより近くできるので、制動力をより強くできる。
【０１１７】
以上のごとく、ワッシャ２０の配設する位置、厚みや枚数などを調整すれば、利用者の好みに応じた制動力の強弱の調整を簡単に行うことができるようになる。
【０１１８】
（スプール部２の素材）
スプール部２の素材は、一般的なリールに使用されるものであれば、とくに限定されない。
【０１１９】
例えば、スプール部２のボビン４の素材をチタン合金製とすれば、強度を確保しつつ、耐久性を向上させることができる。
【０１２０】
スプール部２のシャフト３ａの素材をステンレス製にすれば、耐水性を有しつつ強度を確保することができる。
【０１２１】
スプール部２のシャフト３ａを覆うように設けられた軸挿入部３ｂの素材としては、アルミニウムもしくはアルミニウム合金製のものを採用することができる。
【０１２２】
なお、シャフト３ａと軸挿入部３ｂを一体で形成してもよいが、別体で形成すれば、シャフト３ａと軸挿入部３ｂの素材を変更できる。
例えば、上記のように、シャフト３ａをステンレス、軸挿入部３ｂをアルミニウムで形成すれば、強度を高く維持しつつ慣性重量を小さいくできる。すると、耐久性と作動性を両立させることができる。
しかも、耐水性を有しつつ表面の滑らかな性を向上させることもできる。すると、スプール軸３の軸挿入部３ｂの表面と、距離調整部品１０の移動部材１２の本体部１２ａ内面との摩擦係数を小さくできるので、移動部材１２の本体部１２の摺動性を高くできる。つまり、スプール軸３における、距離調整部品１０の移動部材１２の本体部１２ａの移動をよりスムースに行わせることができる。
【産業上の利用可能性】
【０１２３】
本発明のベイトリールは、リールの構造に精通していない利用者であって簡単に組み立てや分解が行うことができるリールとして適している。
【符号の説明】
【０１２４】
１      ベイトリール
２      スプール部
３      スプール軸
４      ボビン
１０    距離調整部品
１１    スプール軸固定部材
１２    移動部材
１５    電磁ブレーキ
１６    導電部材
１７    磁性体
ｆ      フレーム
Ｂ      軸受け
【図１】
2018148839.tif 000003
【図２】
2018148839.tif 000004
【図３】
2018148839.tif 000005
【図４】
2018148839.tif 000006
【図５】
2018148839.tif 000007
【図６】
2018148839.tif 000008
【図７】
2018148839.tif 000009
【図８】
2018148839.tif 000010
【図９】
2018148839.tif 000011
【図１０】
2018148839.tif 000012
【図１１】
2018148839.tif 000013
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
スプール軸と該スプール軸に連結されたボビンを有するスプール部と、
該スプール部の回転を制御し得る回転制御機構と、備えており、
該回転制御機構は、
前記スプール部の回転方向に抗するブレーキ力を発生させる電磁ブレーキと、
該電磁ブレーキのブレーキ力を調整し得る前記スプール軸に取り付けて使用される距離調整部品と、を備えており、
前記電磁ブレーキは、
磁性体と、該磁性体に対向するように設けられた導電部材と、を備えており、
前記距離調整部品は、
前記スプール軸に対して非連結であって、前記ボビンに対して着脱可能かつ一体回転し得るように固定されたスプール軸固定部材と、
前記導電部材が前記磁性体側に連結され、前記スプール部の回転に応じて前記スプール軸の軸方向に沿って移動可能に設けられた移動部材と、を備えており、
前記スプール軸固定部材は、
前記ボビンの隔壁側の端部から突出した係止突起を備えており、
前記ボビンの隔壁には、
前記スプール軸固定部材を取り付けたときに、前記係止突起が挿通される係止孔が形成されており、
前記係止突起の先端部には、
該係止突起が前記係止孔に挿通された状態において、前記スプール軸固定部材が前記ボビンから離間しようとする力に抗して前記係止突起が前記係止孔に係合された状態を維持し得る係止爪が設けられている
ことを特徴とするベイトリール。
【請求項２】
前記移動部材は、
該移動部材と前記スプール軸固定部材との間に設けられたカム機構によって前記移動が案内されており、
前記カム機構は、
基端が前記スプール軸固定部材に固定され先端が前記移動部材のカム溝に挿入されたカム軸または、基端が前記移動部材に固定され先端が前記スプール軸固定部材のカム溝に挿入されたカム軸、を備えている
ことを特徴とする請求項１記載のベイトリール。
【請求項３】
前記スプール軸固定部材と前記移動部材とが、前記カム機構によって移動しつつ離脱しないように一体となっている
ことを特徴とする請求項２記載のベイトリール。
【請求項４】
スプール軸と該スプール軸に連結されたボビンを有するスプール部と、
該スプール部の回転を制御し得る回転制御機構と、備えており、
該回転制御機構は、
前記スプール部の回転方向に抗するブレーキ力を発生させる電磁ブレーキと、
該電磁ブレーキのブレーキ力を調整し得る前記スプール軸に取り付けて使用される距離調整部品と、を備えており、
前記電磁ブレーキは、
磁性体と、該磁性体に対向するように設けられた導電部材と、を備えており、
前記距離調整部品は、
前記スプール軸に対して非連結であって、前記ボビンに対して着脱可能かつ一体回転し得るように固定されたスプール軸固定部材と、
前記導電部材が前記磁性体側に連結され、前記スプール部の回転に応じて前記スプール軸の軸方向に沿って移動可能に設けられた移動部材と、を備えており、
該移動部材は、
該移動部材と前記スプール軸固定部材との間に設けられたカム機構によって移動が案内されており、
前記カム機構は、
基端が前記スプール軸固定部材に固定され先端が前記移動部材のカム溝に挿入されたカム軸、または、基端が前記移動部材に固定され先端が前記スプール軸固定部材のカム溝に挿入されたカム軸、を備えており、
前記スプール軸固定部材と前記移動部材とが、前記カム機構によって移動しつつ離脱しないように一体となっている
ことを特徴とするベイトリール。
【請求項５】
前記移動部材または前記スプール軸固定部材のカム溝が、
周方向に向きを変えるように形成された一対の弧状の溝であって、前記スプール軸の中心軸を通る面に対して対称となるように形成されている
ことを特徴とする請求項２、３または４記載のベイトリール。
【請求項６】
前記回転制御機構は、
前記距離調整部材を前記スプール軸に取り付けた状態において、前記導電部材を前記ボビンに向かって付勢する付勢部材の反導電部材側の端部に設けられる抜け止め部材と該抜け止め部材の前記スプール軸の軸方向への移動を制限する係止部材との間および／または前記距離調整部材と前記ボビンとの間に設けられ、前記電磁ブレーキが発生するブレーキ力を調整するリング状の離間部材を備えている
ことを特徴とする請求項１、２、３、４または５記載のベイトリール。
【請求項７】
請求項１〜６のいずれかに記載のベイトリールが有するスプール部のスプール軸に取り付けて使用される距離調整部品であって、
前記スプール軸に対して非連結であって、前記スプール部のボビンに対して着脱可能かつ一体回転し得るように固定されるスプール軸固定部材と、
前記スプール軸に取り付けた状態において、前記スプール部の回転に応じて前記スプール軸の軸方向に沿って移動可能に設けられた移動部材と、を備えており、
前記スプール軸固定部材は、
前記スプール軸に取り付けた状態において、前記ボビン側の端部から突出した係止突起を備えており、
該係止突起の先端部には、
該係止突起の軸方向に交差する方向に向かって突出した係止爪が設けられている
ことを特徴とするベイトリールの回転制御機構に用いられる距離調整部品。
【請求項８】
前記移動部材は、
該移動部材と前記スプール軸固定部材との間に設けられたカム機構によって前記移動が案内されており、
前記カム機構は、
基端が前記スプール軸固定部材に固定され先端が前記移動部材のカム溝または、基端が前記移動部材に固定され先端が前記スプール軸固定部材のカム溝に挿入されたカム軸、を備えている
ことを特徴とする請求項７または８記載のベイトリールの回転制御機構に用いられる距離調整部品。
【請求項９】
前記スプール軸固定部材と前記移動部材が、前記カム機構によって移動しつつ離脱しないように一体となっている
ことを特徴とする請求項８記載のベイトリールの回転制御機構に用いられる距離調整部品。
【請求項１０】
請求項１〜６のいずれかに記載のベイトリールが有するスプール部のスプール軸に取り付けて使用される距離調整部品であって、
前記スプール軸に対して非連結であって、前記スプール部のボビンに対して着脱可能かつ一体回転し得るように固定されるスプール軸固定部材と、
前記スプール軸に取り付けた状態において、前記スプール部の回転に応じて前記スプール軸の軸方向に沿って移動可能に設けられた移動部材と、を備えており、
前記移動部材は、
該移動部材と前記スプール軸固定部材との間に設けられたカム機構によって前記移動が案内されており、
前記カム機構は、
基端が前記スプール軸固定部材に固定され先端が前記移動部材のカム溝または、基端が前記移動部材に固定され先端が前記スプール軸固定部材のカム溝に挿入されたカム軸、を備えており、
前記スプール軸固定部材と前記移動部材とが、前記カム機構によって移動しつつ離脱しないように一体となっている
ことを特徴とするベイトリールの回転制御機構に用いられる距離調整部品。
【請求項１１】
前記移動部材または前記スプール軸固定部材のカム溝が、
周方向に向きを変えるように形成された一対の弧状の溝であって、前記スプール軸の中心軸を通る面に対して対称となるように形成されている
ことを特徴とする請求項８、９または１０記載のベイトリールの回転制御機構に用いられる距離調整部品。
【請求項１２】
前記カム軸が、円筒状に形成されている
ことを特徴とする請求項８、９、１０または１１記載のベイトリールの回転制御機構に用いられる距離調整部品。
【手続補正２】
【補正対象書類名】明細書
【補正対象項目名】００１０
【補正方法】変更
【補正の内容】
【００１０】
（ベイトリール）
第１発明のベイトリールは、スプール軸と該スプール軸に連結されたボビンを有するスプール部と、該スプール部の回転を制御し得る回転制御機構と、備えており、該回転制御機構は、前記スプール部の回転方向に抗するブレーキ力を発生させる電磁ブレーキと、該電磁ブレーキのブレーキ力を調整し得る前記スプール軸に取り付けて使用される距離調整部品と、を備えており、前記電磁ブレーキは、磁性体と、該磁性体に対向するように設けられた導電部材と、を備えており、前記距離調整部品は、前記スプール軸に対して非連結であって、前記ボビンに対して着脱可能かつ一体回転し得るように固定されたスプール軸固定部材と、前記導電部材が前記磁性体側に連結され、前記スプール部の回転に応じて前記スプール軸の軸方向に沿って移動可能に設けられた移動部材と、を備えており、前記スプール軸固定部材は、前記ボビンの隔壁側の端部から突出した係止突起を備えており、前記ボビンの隔壁には、前記スプール軸固定部材を取り付けたときに、前記係止突起が挿通される係止孔が形成されており、前記係止突起の先端部には、該係止突起が前記係止孔に挿通された状態において、前記スプール軸固定部材が前記ボビンから離間しようとする力に抗して前記係止突起が前記係止孔に係合された状態を維持し得る係止爪が設けられていることを特徴とする。
第２発明のベイトリールは、第１発明において、前記移動部材は、該移動部材と前記スプール軸固定部材との間に設けられたカム機構によって前記移動が案内されており、前記カム機構は、基端が前記スプール軸固定部材に固定され先端が前記移動部材のカム溝に挿入されたカム軸または、基端が前記移動部材に固定され先端が前記スプール軸固定部材のカム溝に挿入されたカム軸、を備えていることを特徴とする。
第３発明のベイトリールは、第２発明において、前記スプール軸固定部材と前記移動部材とが、前記カム機構によって移動しつつ離脱しないように一体となっていることを特徴とする。
第４発明のベイトリールは、スプール軸と該スプール軸に連結されたボビンを有するスプール部と、該スプール部の回転を制御し得る回転制御機構と、備えており、該回転制御機構は、前記スプール部の回転方向に抗するブレーキ力を発生させる電磁ブレーキと、該電磁ブレーキのブレーキ力を調整し得る前記スプール軸に取り付けて使用される距離調整部品と、を備えており、前記電磁ブレーキは、磁性体と、該磁性体に対向するように設けられた導電部材と、を備えており、前記距離調整部品は、前記スプール軸に対して非連結であって、前記ボビンに対して着脱可能かつ一体回転し得るように固定されたスプール軸固定部材と、前記導電部材が前記磁性体側に連結され、前記スプール部の回転に応じて前記スプール軸の軸方向に沿って移動可能に設けられた移動部材と、を備えており、該移動部材は、該移動部材と前記スプール軸固定部材との間に設けられたカム機構によって移動が案内されており、前記カム機構は、基端が前記スプール軸固定部材に固定され先端が前記移動部材のカム溝に挿入されたカム軸、または、基端が前記移動部材に固定され先端が前記スプール軸固定部材のカム溝に挿入されたカム軸、を備えており、前記スプール軸固定部材と前記移動部材とが、前記カム機構によって移動しつつ離脱しないように一体となっていることを特徴とする。
第５発明のベイトリールは、第２、第３または第４発明において、前記移動部材または前記スプール軸固定部材のカム溝が、周方向に向きを変えるように形成された一対の弧状の溝であって、前記スプール軸の中心軸を通る面に対して対称となるように形成されていることを特徴とする。
第６発明のベイトリールは、第１、第２、第３、第４または第５発明において、前記回転制御機構は、前記距離調整部材を前記スプール軸に取り付けた状態において、前記導電部材を前記ボビンに向かって付勢する付勢部材の反導電部材側の端部に設けられる抜け止め部材と該抜け止め部材の前記スプール軸の軸方向への移動を制限する係止部材との間および／または前記距離調整部材と前記ボビンとの間に設けられ、前記電磁ブレーキが発生するブレーキ力を調整するリング状の離間部材を備えていることを特徴とする。
（距離調整部品）
第７発明のベイトリールの回転制御機構に用いられる距離調整部品は、第１発明乃至第６発明のいずれかに記載のベイトリールが有するスプール部のスプール軸に取り付けて使用される距離調整部品であって、前記スプール軸に対して非連結であって、前記スプール部のボビンに対して着脱可能かつ一体回転し得るように固定されるスプール軸固定部材と、
前記スプール軸に取り付けた状態において、前記スプール部の回転に応じて前記スプール軸の軸方向に沿って移動可能に設けられた移動部材と、を備えており、前記スプール軸固定部材は、前記スプール軸に取り付けた状態において、前記ボビン側の端部から突出した係止突起を備えており、該係止突起の先端部には、該係止突起の軸方向に交差する方向に向かって突出した係止爪が設けられていることを特徴とする。
第８発明のベイトリールの回転制御機構に用いられる距離調整部品は、第７発明において、前記移動部材は、該移動部材と前記スプール軸固定部材との間に設けられたカム機構によって前記移動が案内されており、前記カム機構は、基端が前記スプール軸固定部材に固定され先端が前記移動部材のカム溝に挿入されたカム軸または、基端が前記移動部材に固定され先端が前記スプール軸固定部材のカム溝に挿入されたカム軸、を備えていることを特徴とする。
第９発明のベイトリールの回転制御機構に用いられる距離調整部品は、第８発明において、前記移動部材または前記スプール軸固定部材のカム溝が、周方向に向きを変えるように形成された一対の弧状の溝であって、前記スプール軸の中心軸を通る面に対して対称となるように形成されていることを特徴とする。
第１０発明のベイトリールの回転制御機構に用いられる距離調整部品は、第１発明乃至第６発明のいずれかに記載のベイトリールが有するスプール部のスプール軸に取り付けて使用される距離調整部品であって、前記スプール軸に対して非連結であって、前記スプール部のボビンに対して着脱可能かつ一体回転し得るように固定されるスプール軸固定部材と、前記スプール軸に取り付けた状態において、前記スプール部の回転に応じて前記スプール軸の軸方向に沿って移動可能に設けられた移動部材と、を備えており、前記移動部材は、該移動部材と前記スプール軸固定部材との間に設けられたカム機構によって前記移動が案内されており、前記カム機構は、基端が前記スプール軸固定部材に固定され先端が前記移動部材のカム溝または、基端が前記移動部材に固定され先端が前記スプール軸固定部材のカム溝に挿入されたカム軸、を備えており、前記スプール軸固定部材と前記移動部材とが、前記カム機構によって移動しつつ離脱しないように一体となっていることを特徴とする。
第１１発明のベイトリールの回転制御機構に用いられる距離調整部品は、第８、第９または第１０発明において、前記移動部材または前記スプール軸固定部材のカム溝が、周方向に向きを変えるように形成された一対の弧状の溝であって、前記スプール軸の中心軸を通る面に対して対称となるように形成されていることを特徴とする。
第１２発明のベイトリールの回転制御機構に用いられる距離調整部品は、第８、第９、第１０または第１１発明において、前記カム軸が、円筒状に形成されていることを特徴とする。
【手続補正３】
【補正対象書類名】明細書
【補正対象項目名】００１１
【補正方法】変更
【補正の内容】
【００１１】
（ベイトリール）
第１発明によれば、スプール軸固定部材がスプール部のボビンに対して着脱可能に取り付けられているので、スプール部からの距離調整部品の取り外しや、スプール部への取り付けを簡単に行うことができるようになる。このため、リールの構造に精通していない利用者であっても自己の技量に応じたスプール部の回転を調整できるようになる。スプール部のボビンに対してスプール軸固定部材を確実に固定することができ、かつスプール部のボビンへの取り付けやスプール部のボビンからの取り外しを容易に行うことができるようになる。
第２発明によれば、カム機構によってスプール軸固定部材と移動部材および導電部材を常時連結させた状態とすることができる。つまり、距離調整部品を一体型の組立体とすることができる。このため、回転制御機構の部品点数を少なくできるので、回転制御機構の取り外しや取り付けがより行い易くなる。
第３発明によれば、スプール軸固定部材と移動部材がカム機構によって連結されて一体となっているので、取り付けや取り外しなど、取扱い性を向上させることができる。
第４発明によれば、スプール軸固定部材がスプール部のボビンに対して着脱可能に取り付けられているので、スプール部からの距離調整部品の取り外しや、スプール部への取り付けを簡単に行うことができるようになる。このため、リールの構造に精通していない利用者であっても自己の技量に応じたスプール部の回転を調整できるようになる。カム機構によってスプール軸固定部材と移動部材を常時連結させた状態とすることができる。つまり、距離調整部品を一体型の組立体とすることができる。このため、スプール部からの距離調整部品の取り外しや、スプール部への取り付けをより簡単に行うことができるようになる。スプール軸固定部材と移動部材がカム機構によって連結されて一体となっているので、取り付けや取り外しなど、取扱い性を向上させることができる。
第５発明によれば、カム溝が移動部材の側壁に略対象となるように形成されているので、スプール部の回転方向に関わらず、スプール部の回転を制御することができる。このため、ベイトリールのモデルが右ハンドルモデルか左ハンドルモデルかに関わらず共通して使用することができる。
第６発明によれば、離間部材の数や厚みを調整することにより、スプール部の回転の制御をより適切に行うことができる。このため、利用者の技量や好みに応じた調整がより適切に行えるようになる。
（距離調整部品）
第７発明によれば、スプール軸固定部材がスプール部のボビンに対して着脱可能に取り付けられるので、かかる距離調整部品を用いれば、スプール部からの距離調整部品の取り外しや、スプール部への取り付けを簡単に行うことができるようになる。このため、このため、リールの構造に精通していない利用者であっても自己の技量に応じたスプール部の回転を調整できるようになる。スプール部のボビンに対してスプール軸固定部材を確実に固定することができ、かつスプール部のボビンへの取り付けやスプール部のボビンからの取り外しを容易に行うことができるようになる。
第８発明によれば、カム機構によってスプール軸固定部材と移動部材を常時連結させた状態とすることができる。つまり、距離調整部品を一体型の組立体とすることができる。このため、スプール部からの距離調整部品の取り外しや、スプール部への取り付けをより簡単に行うことができるようになる。
第９発明によれば、スプール軸固定部材と移動部材がカム機構によって連結されて一体となっているので、取り付けや取り外しなど、取扱い性を向上させることができる。
第１０発明によれば、スプール軸固定部材がスプール部のボビンに対して着脱可能に取り付けられるので、かかる距離調整部品を用いれば、スプール部からの距離調整部品の取り外しや、スプール部への取り付けを簡単に行うことができるようになる。このため、このため、リールの構造に精通していない利用者であっても自己の技量に応じたスプール部の回転を調整できるようになる。カム機構によってスプール軸固定部材と移動部材を常時連結させた状態とすることができる。つまり、距離調整部品を一体型の組立体とすることができる。このため、スプール部からの距離調整部品の取り外しや、スプール部への取り付けをより簡単に行うことができるようになる。スプール軸固定部材と移動部材がカム機構によって連結されて一体となっているので、取り付けや取り外しなど、取扱い性を向上させることができる。
第１１発明によれば、カム溝が移動部材の側壁に略対象となるように形成されているので、スプール部の回転方向に関わらず、スプール部の回転を制御することができる。このため、ベイトリールが右ハンドルモデルか左ハンドルモデルかに関わらず共通して使用することができる。
第１２発明によれば、カム軸とカム溝との接点を小さくできるので、スプール軸固定部材に対する移動部材の移動をよりスムースに行わせることができる。
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
スプール軸と該スプール軸に連結されたボビンを有するスプール部と、
該スプール部の回転を制御し得る回転制御機構と、備えており、
該回転制御機構は、
前記スプール部の回転方向に抗するブレーキ力を発生させる電磁ブレーキと、
該電磁ブレーキのブレーキ力を調整し得る前記スプール軸に取り付けて使用される距離調整部品と、を備えており、
前記電磁ブレーキは、
磁性体と、該磁性体に対向するように設けられた導電部材と、を備えており、
前記距離調整部品は、
前記スプール軸に対して非連結であって、前記ボビンに対して着脱可能かつ一体回転し得るように固定されたスプール軸固定部材と、
前記導電部材が前記磁性体側に連結され、前記スプール部の回転に応じて前記スプール軸の軸方向に沿って移動可能に設けられた移動部材と、を備えており、
前記スプール軸固定部材は、
前記ボビンの隔壁側の端部から突出した係止突起を備えており、
前記ボビンの隔壁には、
前記スプール軸固定部材を取り付けたときに、前記係止突起が挿通される係止孔が形成されており、
前記係止突起の先端部には、
該係止突起が前記係止孔に挿通された状態において、前記スプール軸固定部材が前記ボビンから離間しようとする力に抗して前記係止突起が前記係止孔に係合された状態を維持し得る係止爪が設けられている
ことを特徴とするベイトリール。
【請求項２】
前記移動部材は、
該移動部材と前記スプール軸固定部材との間に設けられたカム機構によって前記移動が案内されており、
前記カム機構は、
基端が前記スプール軸固定部材に固定され先端が前記移動部材のカム溝に挿入されたカム軸または、基端が前記移動部材に固定され先端が前記スプール軸固定部材のカム溝に挿入されたカム軸、を備えている
ことを特徴とする請求項１記載のベイトリール。
【請求項３】
前記スプール軸固定部材と前記移動部材とが、前記カム機構によって移動しつつ離脱しないように一体となっている
ことを特徴とする請求項２記載のベイトリール。
【請求項４】
スプール軸と該スプール軸に連結されたボビンを有するスプール部と、
該スプール部の回転を制御し得る回転制御機構と、備えており、
該回転制御機構は、
前記スプール部の回転方向に抗するブレーキ力を発生させる電磁ブレーキと、
該電磁ブレーキのブレーキ力を調整し得る前記スプール軸に取り付けて使用される距離調整部品と、を備えており、
前記電磁ブレーキは、
磁性体と、該磁性体に対向するように設けられた導電部材と、を備えており、
前記距離調整部品は、
前記スプール軸に対して非連結であって、前記ボビンに対して着脱可能かつ一体回転し得るように固定されたスプール軸固定部材と、
前記導電部材が前記磁性体側に連結され、前記スプール部の回転に応じて前記スプール軸の軸方向に沿って移動可能に設けられた移動部材と、を備えており、
該移動部材は、
該移動部材と前記スプール軸固定部材との間に設けられたカム機構によって移動が案内されており、
前記カム機構は、
基端が前記スプール軸固定部材に固定され先端が前記移動部材のカム溝に挿入されたカム軸、または、基端が前記移動部材に固定され先端が前記スプール軸固定部材のカム溝に挿入されたカム軸、を備えており、
前記スプール軸固定部材と前記移動部材とが、前記カム機構によって移動しつつ離脱しないように一体となっている
ことを特徴とするベイトリール。
【請求項５】
前記移動部材または前記スプール軸固定部材のカム溝が、
周方向に向きを変えるように形成された一対の弧状の溝であって、前記スプール軸の中心軸を通る面に対して対称となるように形成されている
ことを特徴とする請求項２、３または４記載のベイトリール。
【請求項６】
前記回転制御機構は、
前記距離調整部材を前記スプール軸に取り付けた状態において、前記導電部材を前記ボビンに向かって付勢する付勢部材の反導電部材側の端部に設けられる抜け止め部材と該抜け止め部材の前記スプール軸の軸方向への移動を制限する係止部材との間および／または前記距離調整部材と前記ボビンとの間に設けられ、前記電磁ブレーキが発生するブレーキ力を調整するリング状の離間部材を備えている
ことを特徴とする請求項１、２、３、４または５記載のベイトリール。
【請求項７】
請求項１〜６のいずれかに記載のベイトリールが有するスプール部のスプール軸に取り付けて使用される距離調整部品であって、
前記スプール軸に対して非連結であって、前記スプール部のボビンに対して着脱可能かつ一体回転し得るように固定されるスプール軸固定部材と、
前記スプール軸に取り付けた状態において、前記スプール部の回転に応じて前記スプール軸の軸方向に沿って移動可能に設けられた移動部材と、を備えており、
前記スプール軸固定部材は、
前記スプール軸に取り付けた状態において、前記ボビン側の端部から突出した係止突起を備えており、
該係止突起の先端部には、
該係止突起の軸方向に交差する方向に向かって突出した係止爪が設けられている
ことを特徴とするベイトリールの回転制御機構に用いられる距離調整部品。
【請求項８】
前記移動部材は、
該移動部材と前記スプール軸固定部材との間に設けられたカム機構によって前記移動が案内されており、
前記カム機構は、
基端が前記スプール軸固定部材に固定され先端が前記移動部材のカム溝または、基端が前記移動部材に固定され先端が前記スプール軸固定部材のカム溝に挿入されたカム軸、を備えている
ことを特徴とする請求項７記載のベイトリールの回転制御機構に用いられる距離調整部品。
【請求項９】
前記スプール軸固定部材と前記移動部材が、前記カム機構によって移動しつつ離脱しないように一体となっている
ことを特徴とする請求項８記載のベイトリールの回転制御機構に用いられる距離調整部品。
【請求項１０】
請求項１〜６のいずれかに記載のベイトリールが有するスプール部のスプール軸に取り付けて使用される距離調整部品であって、
前記スプール軸に対して非連結であって、前記スプール部のボビンに対して着脱可能かつ一体回転し得るように固定されるスプール軸固定部材と、
前記スプール軸に取り付けた状態において、前記スプール部の回転に応じて前記スプール軸の軸方向に沿って移動可能に設けられた移動部材と、を備えており、
前記移動部材は、
該移動部材と前記スプール軸固定部材との間に設けられたカム機構によって前記移動が案内されており、
前記カム機構は、
基端が前記スプール軸固定部材に固定され先端が前記移動部材のカム溝または、基端が前記移動部材に固定され先端が前記スプール軸固定部材のカム溝に挿入されたカム軸、を備えており、
前記スプール軸固定部材と前記移動部材とが、前記カム機構によって移動しつつ離脱しないように一体となっている
ことを特徴とするベイトリールの回転制御機構に用いられる距離調整部品。
【請求項１１】
前記移動部材または前記スプール軸固定部材のカム溝が、
周方向に向きを変えるように形成された一対の弧状の溝であって、前記スプール軸の中心軸を通る面に対して対称となるように形成されている
ことを特徴とする請求項８、９または１０記載のベイトリールの回転制御機構に用いられる距離調整部品。
【請求項１２】
前記カム軸が、円筒状に形成されている
ことを特徴とする請求項８、９、１０または１１記載のベイトリールの回転制御機構に用いられる距離調整部品。